(57)【要約】【課題】細塵の多寡に応じて噴射制御が可能な空気噴射装置を提供する。【解決手段】吸引発生装置に連通接続されて吸引力が作用する吸引室に設けられ、吸引力によって回転する吸引ファンと、外部から導入した空気を噴射口にむけて噴射する噴射室に設けられ、吸引ファンに連動して回転する噴射ファンと、吸引ファンの動力を噴射ファンへ伝達する回転軸と、吸引流路に設けられ、少なくとも２種類の大きさが異なる塵埃を検出する塵埃検出手段と、塵埃検出手段による細塵の検出情報に基づいて噴射をするか否かを決定する噴射判断手段を備え、噴射判断手段の決定に基づいて噴射制御を行うもので、衛生的なブロアー機能を持ちつつ、細塵が多い場合は、噴射を止めて、細塵の舞い散りを抑え、細塵が少ない場合には、噴射で塵埃を舞い上げて吸引することで、塵埃の回収をスムーズに行うことができる。【選択図】図２
2013048665.tif 000002
【特許請求の範囲】
【請求項１】
電気掃除機などの吸引発生装置に連通接続されて吸引力が作用する吸引室と、前記吸引室に設けられ前記吸引力によって回転する吸引ファンと、外部から導入した空気を噴射口にむけて噴射する噴射室と、前記噴射室に設けられ、前記吸引ファンに連動して回転する噴射ファンと、前記吸引ファンの動力を前記噴射ファンへ伝達する動力伝達手段と、吸引流路に設けられ、少なくとも２種類の大きさが異なる塵埃を検出する塵埃検出手段と、前記塵埃検出手段による細塵の検出情報に基づいて噴射をするか否かを決定する噴射判断手段を備え、前記噴射判断手段の決定に基づいて噴射制御を行う空気噴射装置。
【請求項２】
動力伝達手段に発電手段を構成させ、前記発電手段が発生させる電力を電力源として塵埃検出および／または噴射制御を行う請求項１に記載の空気噴射装置。
【請求項３】
アクチュエータなどから構成される噴射接続手段を備え、噴射判断手段は、前記噴射接続手段によって動力伝達手段から噴射ファンへの接続を制御し、塵埃検出手段による塵埃の検出情報に基づいて噴射制御を行う請求項１又は２に記載の空気噴射装置。
【請求項４】
請求項１〜３のいずれか１項に記載の空気噴射装置と、前記空気噴射装置が着脱自在に接続される吸引ホースとを備えていることを特徴とする電気掃除機。
【発明の詳細な説明】
【技術分野】
【０００１】
本発明は、電気掃除機などの吸引発生装置に用いられる空気噴射装置と、当該空気噴射装置を備える電気掃除機に関し、特に、電気掃除機による空気の吸引を利用して空気を噴射できるとともに、空気の吸引および噴射を切り換えることができる空気噴射装置と、これを備えた電気掃除機に関するものである。
【背景技術】
【０００２】
一般的な電気掃除機は、空気を吸引することによって、空気とともに塵埃を吸引する機能（以下、「バキューム機能」と称する。）を有しているが、近年では、空気を噴射して塵埃を吹き飛ばす機能（以下、「ブロアー機能」と称する。）を備えている構成も提案されている。電気掃除機がブロアー機能を備えていれば、使用者にとって見え難い位置（例えば、据え置かれた家具等の裏側や天面等）あるいは使用者から見て高い位置（前記家具の天面、照明の傘、天井等）の塵埃を掃除することが可能となる。
【０００３】
具体的なブロアー機能としては、従来から排気を利用する技術が知られている。この排気は、電気掃除機の集塵室を通過してきた空気流であるが、実際のブロアー機能においては、クリーンな空気流となっている。ところが、使用者は、排気を利用するという点で不衛生なイメージを抱いてしまう。また、ブロアー機能が、吸引ホースまたは延長管等を利用する構成であれば、これらの内部に付着した微量な塵埃が噴出することが疑われるため、使用者は、やはり不衛生なイメージを抱いてしまう。そこで、最近では、排気を利用しないブロアー機能が種々提案されている。
【０００４】
例えば、特許文献１には、吸引力により動作する吸引ファンと、噴射力を発生する噴射ファンと、前記吸引ファンの動力を前記噴射ファンへ伝達する動力伝達手段を備えている空気噴射装置が開示されている。この構成によれば、当該空気噴射装置を吸引ホースに接続するだけで、電気掃除機の吸引力により噴射ファンを回転させることができる。それゆえ、排気を利用しないブロアー機能を、電気掃除機の種類を問わず付加的に利用することが可能となる。
【０００５】
また、特許文献２には、吸込口に設けられた噴出ノズルに空気を送り込む圧力発生部を備えている電気掃除機用吸込具が開示されている。この電気掃除機用吸込具は、エアポンプ等の圧力発生部により生成した圧縮空気を噴出ノズルから噴射することで、被清掃面に付着したり凹凸部の奥に溜まったりした塵埃を吹き飛ばしてから吸引している。それゆえ、排気を利用しないブロアー機能を実現できるとともに、ブロアー機能により吹き飛ばした塵埃を速やかに吸引できるので、効率よい集塵が可能となる。
【先行技術文献】
【特許文献】
【０００６】
【特許文献１】特開２０００−２１７７４６号公報
【特許文献２】特開２００１−３２１３０５号公報
【発明の概要】
【発明が解決しようとする課題】
【０００７】
しかしながら、上記特許文献１に記載された空気噴射装置のように、排気を利用しない構成のブロワー機能であっても、単に連続的にブロアーするだけでは、塵が舞い散ってしまい、近年の気密性の高い住宅状況では、単に塵を拡散するだけで、かえって使いづらいものとなる。また、上記特許文献２に記載された電気掃除機用吸込具のように、ポンプな
どを使用する構成では、その分高価になってしまうことやその電力源を別途必要とするなどの課題が生じてしまう。
【０００８】
本発明は、以上のような従来の課題を解決しようとするものであって、電気掃除機等の吸引発生装置の形態に左右されず、衛生的なブロアー機能を持ち、塵埃の吸引状況から周囲の塵埃分布を判断し、状況に応じて噴出するかしないかを判断するようにし、塵の舞い散りを抑えて、塵埃の回収効率を高めることを可能にする非常に使い勝手のよい空気噴射装置及びそれを用いた電気掃除機を提供することを目的としている。
【課題を解決するための手段】
【０００９】
上記従来の課題を解決するために、本発明の空気噴射装置は、電気掃除機などの吸引発生装置に連通接続されて吸引力が作用する吸引室と、前記吸引室に設けられ前記吸引力によって回転する吸引ファンと、外部から導入した空気を噴射口にむけて噴射する噴射室と、前記噴射室に設けられ、前記吸引ファンに連動して回転する噴射ファンと、前記吸引ファンの動力を前記噴射ファンへ伝達する動力伝達手段と、吸引流路に設けられ、少なくとも２種類の大きさが異なる塵埃を検出する塵埃検出手段と、前記塵埃検出手段による細塵の検出情報に基づいて噴射をするか否かを決定する噴射判断手段を備え、前記噴射判断手段の決定に基づいて噴射制御を行うもので、電気掃除機等の吸引発生装置の形態に左右されず、衛生的なブロアー機能を持ちつつ、吸引した空気の塵埃検出手段の検出結果から吸引口周囲の空気中の細塵の多寡を判断し、細塵が多い場合は、噴射を止めて、細塵の舞い散りを抑えて吸引に専念し、細塵が少ない場合には、噴射によって再度吸引するために塵を舞い上げるという作用を行え、塵の回収をスムーズにすることができる非常に使い勝手のよい空気噴射装置を提供することができる。
【００１０】
また、本発明の電気掃除機は、請求項１〜３のいずれか１項に記載の空気噴射装置と、前記空気噴射装置が着脱自在に接続される吸引ホースとを備えているもので、吸引ホースに空気噴射装置を接続するだけで、被掃除面上の細塵の多寡に応じて、噴射したり、噴射を止めたりすることが自動的に行われるので、塵埃の吸引性能に優れ、非常に使用勝手の良い電気掃除機を提供することが出来る。
【発明の効果】
【００１１】
本発明の空気噴射装置及びそれを用いた電気掃除機は、電気掃除機等の吸引発生装置の形態に左右されず、衛生的なブロアー機能を持ちつつ、吸気内の細塵の多寡を判断し、吸引する空気内に細塵が多い場合は、噴射を止めて、塵埃の舞い散りを抑えて吸引に専念し、細塵が少ない場合には、噴射によって再度吸引するために塵を舞い上げるという作用によって、塵の回収をスムーズにすることができる非常に使い勝手のよいものである。
【図面の簡単な説明】
【００１２】
【図１】本発明の実施の形態１における空気噴射装置を備えた電気掃除機の全体斜視図
【図２】同空気噴射装置の部分断面図
【図３】図２のＡ−Ａ断面図
【図４】図２のＢ−Ｂ断面図
【図５】同空気噴射装置のシステムブロック図
【図６】同空気噴射装置の他の例を示す部分断面図
【発明を実施するための形態】
【００１３】
第１の発明は、電気掃除機などの吸引発生装置に連通接続されて吸引力が作用する吸引室と、前記吸引室に設けられ前記吸引力によって回転する吸引ファンと、外部から導入した空気を噴射口にむけて噴射する噴射室と、前記噴射室に設けられ、前記吸引ファンに連
動して回転する噴射ファンと、前記吸引ファンの動力を前記噴射ファンへ伝達する動力伝達手段と、吸引流路に設けられ、少なくとも２種類の大きさが異なる塵埃を検出する塵埃検出手段と、前記塵埃検出手段による細塵の検出情報に基づいて噴射をするか否かを決定する噴射判断手段を備え、前記噴射判断手段の決定に基づいて噴射制御を行うもので、電気掃除機等の吸引発生装置の形態に左右されず、衛生的なブロアー機能を持ちつつ、吸引した空気の塵埃検出手段の検出結果から吸引口周囲の空気中の細塵の多寡を判断し、細塵が多い場合は、噴射を止めて、細塵の舞い散りを抑えて吸引に専念し、細塵が少ない場合には、噴射によって再度吸引するために塵を舞い上げるという作用を行え、塵の回収をスムーズにすることができる非常に使い勝手のよい空気噴射装置を提供することができる。
【００１４】
第２の発明は、特に、第１の発明の動力伝達手段に発電手段を構成させ、前記発電手段が発生させる電力を電力源として塵埃検出および／または噴射制御を行うもので、空気噴射装置を吸引発生装置などと電気的に接続する必要が無く、空気噴射装置単体で使用でき使い勝手が大幅に向上する。また、発電手段で得た電力を蓄える蓄電手段を備え、噴射判断手段を、噴射の有無を切り替える場合にのみもしくは噴射の有無のどちらかの状態の場合のみ電力を必要とする構成にすれば、電力を必要としない状況での発電手段が発電した電力を蓄電手段によって蓄えることができ、発電手段の規模を抑えることができ、より安価あるいは小型軽量化を図った構成にすることができる。
【００１５】
第３の発明は、特に、第１又は第２の発明の空気噴射装置において、アクチュエータなどから構成される噴射接続手段を備え、噴射判断手段は、前記噴射接続手段によって動力伝達手段から噴射ファンへの接続を制御し、塵埃検出手段による塵埃の検出情報に基づいて噴射制御を行うもので、塵埃検出手段の検出結果から吸気内の細塵が少なく、周囲の空気中にも少ないと判断した場合には動力伝達手段と噴射ファンを接続して噴射ファンを回転させて噴射を行い、細塵が多い場合には、動力伝達手段と噴射ファンを切り離して、噴射ファンの回転すなわち噴射を止めるようにすれば、細塵の吸引状況に応じてブロアー機能が自動で制御されるため、使い勝手よくかつ効率的に掃除できる。
【００１６】
第４の発明に係る電気掃除機は、請求項１から３のいずれか１項に記載の空気噴射装置と、前記空気噴射装置が着脱自在に接続される吸引ホースとを備えているもので、吸引ホースに空気噴射装置を接続するだけで、被掃除面上の細塵の多寡に応じて、噴射したり、噴射を止めたりすることが自動的に行われるので、塵埃の吸引性能に優れ、非常に使用勝手の良い電気掃除機を提供することが出来る。
【００１７】
以下、本発明の好ましい実施の形態を、図面を参照しながら説明する。なお、以下では全ての図を通じて同一又は相当する要素には同一の参照符号を付して、その重複する説明を省略する。なお、この実施の形態によって本発明が限定されるものではない。
【００１８】
（実施の形態１）
本発明の実施の形態１における空気噴射装置及びそれを用いた電気掃除機について、図１〜５を用いて説明する。図１は、本実施の形態における空気噴射装置を備えた電気掃除機の全体斜視図である。
【００１９】
図１に示すように、本実施の形態に係る空気噴射装置１は、典型的なキャニスター型の電気掃除機５０に備えられているものである。すなわち、電気掃除機５０は、掃除機本体５１、吸引ホース５３、手元操作部５４、吸引延長管５５、吸込口体５６、並びに空気噴射装置１を備えている。
【００２０】
掃除機本体５１は、電動送風機５７、集塵室５８、ホイール５９、電源コード６０を備えており、接続パイプ５２を介して吸引ホース５３の一方の端が着脱自在に接続されてい
る。
【００２１】
吸引ホース５３の他方の端には、手元操作部５４が設けられており、この手元操作部５４の先端に対して、吸引延長管５５の一方の端が着脱自在に接続されている。さらに、吸引延長管５５の他方の端には、吸込口体５６が着脱自在に取り付けられている。また、手元操作部５４の下方には、本実施の形態における空気噴射装置１が着脱自在に取り付けられ、この空気噴射装置１は、吸引延長管５５の代わりに、手元操作部５４の先端に取り付け可能となっている。
【００２２】
掃除機本体５１の内部には、電動送風機５７および集塵室５８が設けられており、電動送風機５７の動作により吸引力が発生し、吸引ホース５３、吸引延長管５５を介して、吸込口体５６の底面に設けた吸込口（図示せず）に吸引力が発生する。また、掃除機本体５１の内部には、電源コード６０が引き出し可能に収納されている。また、掃除機本体５１は、両側方に設けられている一対のホイール５９で床面上を移動自在に構成されている。
【００２３】
電気掃除機５０の使用時には、まず、使用者は、使用時に電源コード６０を掃除機本体５１から引き出して先端の電源プラグ６０ａを電源差込口（図示せず）に差し込み、手元操作部５４を操作して、掃除機本体５１の電源を入れる。これにより、電動送風機５７の動作によって吸込口体５６の吸込口に吸引力が発生するので、床面上の塵埃が吸引され、吸引延長管５５、吸引ホース５３、接続パイプ５２を介して集塵室５８に集められる。
【００２４】
使用者は、手元操作部５４を把持して床面上で吸込口体５６の位置を移動させることで、掃除する床面の領域を変える。また、掃除の場所を変える場合には、吸引ホース５３を引くことで、ホイール５９の回転により掃除機本体５１が床面上を移動する。なお、掃除機本体５１には図示しない取っ手が設けられており、これで掃除機本体５１を持ち上げて移動させることもできる。
【００２５】
また、（１）使用者にとって見え難い位置または高い位置の掃除、（２）被清掃面に付着したり凹凸部の奥に溜まったりした塵埃の掃除、（３）吸込口を近接させると、破損、望ましくない移動、誤操作、誤吸引のおそれがある対象物の掃除等を行いたい場合には、通常の吸引力による掃除（バキューム機能による掃除）だけでなく、ブロアー機能を好適に用いることができる。そこで、吸引延長管５５または吸込口体５６を取り外し、代わりに空気噴射装置１を取り付けて掃除を行う。
【００２６】
なお、図１に示す電気掃除機５０における具体的な構成、すなわち、掃除機本体５１、吸引ホース５３、手元操作部５４、吸引延長管５５、吸込口体５６等は特に限定されず、電気掃除機の分野で公知の各種構成を好適に用いることができる。
【００２７】
次に、本実施の形態における空気噴射装置１について、図２〜図５を用いて説明する。
【００２８】
図２は、同空気噴射装置の部分断面図、図３は、図２のＡ−Ａ断面図、図４は、図２のＢ−Ｂ断面図、図５は、同空気噴射装置のシステムブロック図である。
【００２９】
図２〜５において、空気噴射装置１は、電気掃除機５０などの吸引力が作用することで空気流が生じる吸引流路４０と、外部より空気を吸い込んで噴出する噴出流路４１に分かれている。
【００３０】
吸引流路４０は、外気を吸い込む吸引口２を有し、垂直方向に９０度回転可能の吸引管３が、内部に吸引ファン５を装備した吸引室６に連通し、そして吸引室６には、排出口４を通じて電気掃除機５０などの吸引力が作用するようになっている。
【００３１】
噴出流路４１は、外気を吸い込む第２の吸引口９および内部に噴射ファン１０を設けた噴射室１１が、噴射口７を有し垂直方向に９０度回転可能な噴射管８と連通している。吸引室６と噴射室１１は、連結部１２で回転自在につながっており、吸引ファン５と噴射ファン１０は、動力伝達手段である回転軸１４と動力接続部２２を介してつながっている。動力接続部２２は、図示しないアクチュエータや弾性体などで構成され、噴射接続手段２３の動作によって接続または切り離しが可能になっている。
【００３２】
吸引ファン５と噴射ファン１０は、図３および図４に示すように、それぞれシロッコ形のファンで形成され、排出口４は、吸引室６上の吸引ファン５の回転中心部に、第２の吸引口９は、噴射室１１上の噴射ファン１０の回転中心部に、それぞれ開口して配している。
【００３３】
また、コイルなどから構成され、回転軸１４の回転によって発電する発電手段としての発電機１５及びその起電力を平滑して所定の直流電源とする電源回路１６が設けられている。
【００３４】
この電源回路１６による電力で動作する塵埃検出手段１８は、吸引室６内に、その吸引流路４０を挟むように設けられると共に、例えば、赤外発光ダイオードとフォトトランジスタなどで構成された受発光部２８を備え、さらに、オペアンプやコンパレータなどで構成されると共に、吸引流路４０内を塵埃が通過することによる受発光部２８での光量の変化を所定の増幅率で増幅する増幅機能とフィルタ機能を備えた第１増幅部２９と、さらに大きな増幅率をもった増幅機能とフィルタ機能を備えた第２増幅部３０を備えている。
【００３５】
また、粗塵検出手段３１は、第１増幅部２９で所定の閾値を越えた場合に出力される検出信号を受け取って粗塵の量を判断し、細塵検出手段３２は、第１増幅部２９での判定結果に関わらず、第２増幅部３０で所定の閾値を越えた場合に出力される検出信号を受け取って細塵の量を判断する。
【００３６】
さらに、この粗塵及び細塵の量は、どちらも塵埃分布判断手段３３へ送られ、塵埃の分布内容を所定の判断基準によって判断し、表示手段３５へ表示指示を出すとともに、総塵埃量や細塵の量を噴射判断手段１９へ送る。蓄電手段２５は、電源回路１６の近傍に設けられ、例えば大容量キャパシタなどで構成されている。
【００３７】
以上のように構成された本実施の形態における空気噴射装置１の動作を以下に説明する。吸引室６の排出口４を、電気掃除機５０の吸引ホース５３などに接続すると、排出口４から空気が吸引されることで、吸引口２より空気が吸引室６へ流入し、吸引ファン５を回転させる。吸引ファン５の回転力から、回転軸１４を介して発電機１５および電源回路１６によって発生・生成される電力を動力源とする塵埃検出手段１８が、吸引流路４０内を通過する塵埃を検出する。
【００３８】
このとき少なくとも２種類以上の異なる大きさの塵埃の分布状況を、粗塵検出手段３１と細塵検出手段３２の出力結果から塵埃分布判断手段３３が判断し、表示手段３５で表示を行って、使用者に塵埃の分布状況を報知すると共に、噴射制御のために噴射判断手段１９へ情報を送る。噴射判断手段１９は、予め設定された判断基準を基に噴射するかしないかを決定する。
【００３９】
細塵が判断基準よりも多い場合には噴射を行わないようにして、噴射によって細塵の舞い上がりと拡散によって集塵効率が低下することを防げる。また、細塵が、判断基準よりも少ない場合には、噴射を行って塵埃を舞い上げて集塵する。このとき、判断基準を使用
者が設定できるように設定手段２７を設けてもよい。
【００４０】
噴射制御としては、噴射判断手段１９から、噴射接続手段２３への信号出力によって行う。噴射接続手段２３は、アクチュエータなどを使用し、噴射を行う場合には、動力接続部２２で、回転軸１４と噴射ファン１０を接続する。
【００４１】
接続された噴射ファン１０が回転すると、第２の吸引口９より、空気が噴射室１１内に吸引されて噴射口７にむけて空気が噴射され、噴射口７から噴射された空気が塵埃を舞い上げる。また、噴射を行わない場合には、動力接続部２２で、回転軸１４と噴射ファン１０を切り離す。切り離された噴射ファン１０は、回転を維持できないため、空気も吸引せず、噴射は止まり、空気噴射装置１は、吸引のみを行う。したがって、吸引空気中に細塵が多い時には吸引しやすくなる。
【００４２】
このとき、運転当初の状態は、噴射しない構成にしておき、細塵が少ないことを判断してから噴射作用を働かせるようにすれば、運転開始から塵埃の多い場所に対して極度の塵埃の舞い上げと拡散を行ってしまうことを防ぐことができ、さらに使い勝手を良くすることができる。
【００４３】
さらに、蓄電手段２５を設けた場合について説明する。発電機１５による電力は、吸引風に依存して発生する電力である、吸引風量の変化によって発生する電力も変化する。そのため本来必要とする電力に対して十分に余裕のある発電能力を持たせる必要がある。この空気噴射装置１においては、使用する電力のうち塵埃検出手段１８と、その検出情報を判断する噴射判断手段１９は、ほぼ常時動作している必要があるが、噴射接続手段２３は接続の切り替え時のみ動作すればよい。
【００４４】
また、その際に接続していない状態では、噴射ファン１０の負荷分もかからない。その状態で、発電機１５が発生する電力の余剰分を蓄える蓄電手段２５を電源回路１６に併設して備えることで、発電力を効率よく活用し、発電機１５あるいは空気噴射装置１全体の小型軽量化を実現することができる。また、突発的なゴミ詰まりなどによる一時的な風量低下に対しても安定した動作を実現することができる。
【００４５】
また、本実施の形態では、噴射制御を、回転軸１４と噴射ファン１０の接続を制御することによって行ったが、噴射口７に弁を設ける方法も有効である。例えば、図６のように、噴射口７にその開閉を行うための噴射弁２０を設け、この噴射弁２０は、アクチュエータや駆動ワイヤーなどから構成され、噴射口７の開閉を行うように噴射弁制御手段２１によって制御するようにしても良い。
【００４６】
噴射弁制御手段２１は、噴射判断手段１９によって噴射接続手段２３と同様に細塵の多寡によって制御されるものである。この構成をとった場合には、噴射口７は、通常、噴射弁２０で閉じられているため、噴射管８内で空気が圧縮され、塵埃分布判断手段３３の判断結果から、細塵の多寡により噴射弁２０が制御され空気を噴射するかしないかを制御するが、噴射への移行時には、圧縮された分より強めに噴射を行うことができる。
【００４７】
これらの作用から、電気掃除機などの吸引作用を発生させる装置であれば、その種類を問わず排出口４と吸引発生装置とを接続すれば、吸引作用を噴射作用に変換でき、噴射によって吹き飛ばした塵や埃を回収することができると共に、吸引中の塵埃分布状況から周囲の空気中に拡散しやすい細塵が多い場合には噴射を止めて吸引に専念し、周囲の細塵が減れば、自動的に噴射を再開することができるので、掃除効率の高い極めて使い勝手の良い空気噴射装置を提供できる。
【００４８】
また、本実施の形態における空気噴射装置１を、電気掃除機５０の吸引ホース５３に接続するだけで、被掃除面上の細塵の多寡に応じて、噴射したり、噴射を止めたりすることが自動的に行われるので、塵埃の吸引性能に優れ、非常に使用勝手の良い電気掃除機を提供することが出来る。
【産業上の利用可能性】
【００４９】
以上のように、本発明にかかる空気噴射装置及びそれを用いた電気掃除機は、吸引室に作用する吸引力の作用で噴射口から空気を噴射し、かつその噴出を、吸引する空気内の細塵の多寡を判断して自動的に作用させることができるもので、通常の吸引では掃除しにくい場所を効率よく簡単に掃除できるものとして極めて有用なものである。
【符号の説明】
【００５０】
１  空気噴射装置
２  吸引口
４  排出口
５  吸引ファン
６  吸引室
７  噴射口
９  第２の吸引口
１０  噴射ファン
１１  噴射室
１２  連結部（回転部）
１４  回転軸（動力伝達手段）
１５  発電機（発電手段）
１６  電源回路
１８  塵埃検出手段
１９  噴射判断手段
２２  動力接続部
２３  噴射接続手段
２５  蓄電手段
４０  吸引流路
【図１】
2013048665.tif 000003
【図２】
2013048665.tif 000004
【図３】
2013048665.tif 000005
【図４】
2013048665.tif 000006
【図５】
2013048665.tif 000007
【図６】
2013048665.tif 000008